(57)【特許請求の範囲】
【請求項１】
正面と左右の側面と天井面と床面とが板状材で覆われ、かつ建物の開口部を介して室内へと通じる囲繞空間部を仕切ってなるサンルームにおいて、側面に位置する透光性の板状材は、該板状材の面方向に沿うように平行に移動させて室内側に収納される遮蔽材により内面側での遮蔽を自在とし、天井面に位置する透光性の板状材は、水平方向に移動させて天井裏に収納される遮蔽材により内面側での遮蔽を自在としたことを特徴とするサンルーム構造。
【請求項２】
側面に位置する透光性の板状材を遮蔽する前記遮蔽材は、少なくとも２以上に縦割りされた各分割板状片を折畳み自在に連結して形成したことを特徴とする請求項１記載のサンルーム構造。
【請求項３】
側面に位置する透光性の板状材を遮蔽する前記遮蔽材は、室内側にそのすべてを押し込んだ際、前記開口部に隣接する内壁面と対面させるべく最後に押し込まれる縦端部の側を軸支する支軸を介して回転自在に開口部近傍に支持させたことを特徴とする請求項１または２記載のサンルーム構造。
【請求項４】
前記遮蔽材は、断熱性壁材を主材として形成したことを特徴とする請求項１〜３のいずれかに記載のサンルーム構造。
【請求項５】
前記遮蔽材は、熱線を吸収もしくは反射する機能性ガラス材を主材として形成したことを特徴とする請求項１〜３のいずれかに記載のサンルーム構造。
【発明の詳細な説明】
【０００１】
【発明の属する技術分野】
本発明はサンルーム構造に係り、さらに詳しくは、サンルームに対し優れた遮光性能を付与して例えば日射取得量の多い夏場などであっても室内側が異常に昇温することを効果的に阻止することができるサンルーム構造に関する。
【０００２】
【従来の技術】
通常、サンルームは、太陽光を効果的に採り込むことができるように、建物の南面に設置されており、特に冬場においては十分な日射を取得することができ、快適なユーティリティ空間を確保することができるようになっている。
【０００３】
しかし、夏場においては、天井面から容赦なく差し込む陽光のため異常に昇温し、さながら蒸し風呂のような不快な室内環境になってしまうという問題があった。
【０００４】
このため、従来においては、サンルームの外側をロールスクリーンやブラインドなどの遮光部材で覆う室外遮蔽や、サンルームの天井のように前傾している傾斜面の内側をロールスクリーンやブラインドなどの遮光部材で覆い、正面などの垂直面の内側をカーテンなどの遮光部材で覆う室内遮蔽などの遮光手法が採用されていた。
【０００５】
【発明が解決しようとする課題】
しかし、従来から行われている上記遮光手法による場合、期待に応えられるほどの断熱効果が得られないばかりでなく、遮光部材を操作する際の作業が煩雑になるなどの不都合があった。
【０００６】
特に、室外遮蔽方式による場合には、風雨に曝されて汚れたり破損しやすいという不具合もあった。
【０００７】
本発明は従来技術にみられた上記課題に鑑み、汚れの少ない室内遮蔽方式のもとで、操作上の煩わしさをなくし、かつ、必要にして十分な断熱効果を得ることができるサンルーム構造を提供することにある。
【０００８】
【課題を解決するための手段】
本発明は上記目的を達成すべくなされたものであり、その構成上の特徴は、正面と左右の側面と天井面と床面とが板状材で覆われ、かつ建物の開口部を介して室内へと通じる囲繞空間部を仕切ってなるサンルームにおいて、側面に位置する透光性の板状材は、該板状材の面方向に沿うように平行に移動させて室内側に収納される遮蔽材により内面側での遮蔽を自在とし、天井面に位置する透光性の板状材は、水平方向に移動させて天井裏に収納される遮蔽材により内面側での遮蔽を自在としたことにある。
【０００９】
この場合、側面に位置する透光性の板状材を遮蔽する前記遮蔽材は、少なくとも２以上に縦割りされた各分割板状片を折畳み自在に連結して形成することができるほか、室内側にそのすべてを押し込んだ際、前記開口部に隣接する内壁面と対面させるべく最後に押し込まれる縦端部の側を軸支する支軸を介して回転自在に開口部近傍に支持させるものであってもよい。また、前記遮蔽材は、断熱性壁材を主材として形成したり、熱線を吸収もしくは反射する機能性ガラス材を主材として形成したものを好適に用いることができる。
【００１０】
【発明の実施の形態】
図１は本発明の一例を示す要部斜視図であり、図２は図１との対応関係のもとで示す一部を省略した側面図であり、これらの図によれば、サンルーム１１は、正面に位置する板状材１２と、左右の両側面に位置する板状材１３，１３と、天井面に位置する板状材１４と、床面に位置する板状材１５とで覆われ、かつ建物の開口部５１を介して室内５２へと通じる囲繞空間部１６を仕切って形成されている。
【００１１】
この場合、正面に位置する板状材１２と、少なくとも左右いずれか一方の板状材１３と、やや前傾させた天井面に位置する板状材１４とのそれぞれは、例えば板ガラスや透明樹脂板などのような透光性を備える素材により形成されたものが用いられている。
【００１２】
このうち、左右いずれか一方の側面もしくは左右の両側面に位置する板状材１３が透光性を備えた素材により形成されているとき、該板状材１３は、面方向に沿うように平行に移動させて室内５２側に収納される遮蔽材１７により内面側での遮蔽が自在に配設されている。
【００１３】
すなわち、適宜構造の断熱性壁材を主材として形成されている遮蔽材１７は、例えば天井面の側に配設されたガイドレール（図示せず）と床面に位置する板状材１５に配設されているガイドレール１８との間に移動自在に嵌め込むなど、適宜のガイド手段を介在させることにより、必要に応じて板状材１３と対面させるように引き出したり、建物の室内５２側へと押し込んで収納することができるようになっている。
【００１４】
しかも、遮蔽材１７は、最後に押し込まれる縦端部１７ａの側を軸支する支軸１９を介して開口部５１近傍に支持させることができるようになっており、したがって、室内５２側にそのすべてを押し込んだ際、支軸１９を介して図１に示すように回転させることにより開口部５１に隣接する内壁面の側へと対面させた状態のもとで室内５２側に邪魔にならないように収納しておくことができる。
【００１５】
一方、天井面に位置する透光性の板状材１４は、該板状材１４の内面側に位置して建物の外壁部５４に対し直交するように水平となって進退自在に移動できる遮蔽材２１により内面側での遮蔽が自在となって配設されている。
【００１６】
すなわち、適宜構造の断熱性壁材を主材として形成されている遮蔽材２１は、例えば開口部５１の側から支腕状となって延設されている一対のガイドレールなどの適宜の支持部材（図示せず）上に移動自在に載置するなどして、外壁部５４の内側まで押し込むことにより天井板５５により仕切られている天井裏５８へとそのすべてを収納することができるようになっている。
【００１７】
図３は本発明の他例を示す要部斜視図であり、図４は図３との対応関係のもとで示す一部を省略した側面図であり、サンルーム１１自体の構造は、図１におけると同様なのでその説明を省略する。
【００１８】
これらの図によれば、側面に位置する板状材１３が透光性を備えた素材により形成されているとき、該板状材１３は、面方向に沿うように平行に移動させて室内５２側に収納される遮蔽材２５により内面側での遮蔽が自在に配設されている。
【００１９】
すなわち、熱線を吸収もしくは反射する機能性ガラス材を主材として形成されている遮蔽材２５は、例えば天井面の側に配設されたガイドレール（図示せず）と床面に位置する板状材１５に配設されているガイドレール１８との間に移動自在に嵌め込むなど、適宜のガイド手段を介在させることにより、必要に応じて板状材１３と対面する配置関係のもとで引き出したり、建物の室内５２側へと押し込むことができるようになっている。
【００２０】
この場合、建物の室内５２側もしくは室外側には、雨戸の戸袋と同等の構造を備えた収納部５３を予め設けておき、不使用時に該収納部５３内に遮蔽材２５を収納することができるようになっている。
【００２１】
また、図５に示すように、遮蔽材２５が少なくとも２以上に縦割りされた各分割板状片２６を相互に蝶番２７を介して折畳み自在に連結して形成されている場合には、図１におけると同様に、最後に押し込まれる縦端部２５ａの側を軸支する支軸２８を介して開口部５１近傍に支持させることができるようにしておくのが望ましく、これにより開口部５１に隣接する内壁面の側へと対面させた状態のもとで室内５２側に邪魔にならないように折り畳んで収納しておくことができる。
【００２２】
一方、天井面に位置する透光性の板状材１４は、該板状材１４の内面側に位置して建物の外壁部５４に対し直交するように水平となって進退自在に移動できる遮蔽材３１により内面側での遮蔽が自在となって配設されている。
【００２３】
すなわち、熱線を吸収もしくは反射する機能性ガラス材を主材として形成されている遮蔽材３１は、例えば開口部５１の側から支腕状となって延設されている一対のガイドレールなどの適宜の支持部材（図示せず）上に移動自在に載置するなどして、外壁部５４の内側まで押し込むことにより、天井裏５８にて天井板５５と覆い板５６とで空間部５７ａを形成している収納部５７へとそのすべてを収納することができるようになっている。
【００２４】
このようにして構成されている本発明のうち、図１に示す実施の形態によれば、遮蔽材１７は、収納してある室内５２側からガイドレール１８を介して側面に位置する透光性の板状材１３と対面させるために引き出したり、再度、室内５２側に押し込んだ後、支軸１９を介して回転させて収納することができる。
【００２５】
また、遮蔽材２１は、収納してある天井裏５８側から図示しないガイドレールなどの支持部材を介して天井面に位置する透光性の板状材１４と対面する位置関係のもとで水平に引き出したり、再度、天井裏５８側に押し込んで収納することができる。
【００２６】
したがって、日射取得量を少なくしたい夏場においては、遮蔽材１７を側面に位置する透光性の板状材１３と、遮蔽材２１を天井面に位置する透光性の板状材１４とそれぞれ対面させることにより、板状材１３と板状材１４とを極く簡単に遮蔽することができるので、サンルーム１１内に断熱効果の優れた囲繞空間部１６を確保することができる。
【００２７】
また、日射取得量を多くしたい冬場においては、遮蔽材１７は室内５２側に、遮蔽材２１は天井裏５８側にそれぞれ収納させておくことにより、サンルーム１１内に太陽光を十分に採り込むことができる。
【００２８】
また、図３に示す実施の形態によれば、遮蔽材２５は、収納してある室内５２側からガイドレール１８を介して側面に位置する透光性の板状材１３と対面させるために引き出したり、再度、室内５２側に押し込んだ後、戸袋のような収納部５３内に収納しておくことができる。なお、図５に示すように遮蔽材２５が折り畳み自在に形成されている場合には、コンパクトに折り畳んだ後、支軸２８を介して室内の壁面と対面するように回転させてに収納することができる。
【００２９】
また、遮蔽材３１は、収納してある天井裏５８側から図示しないガイドレールを介して天井面に位置する透光性の板状材１４と対面する位置関係のもとで水平に引き出したり、再度、天井裏５８の収納部５７内に押し込んで収納しておくことができる。
【００３０】
したがって、日射取得量を少なくしたい夏場においては、遮蔽材２５を側面に位置する透光性の板状材１３と、遮蔽材３１を天井面に位置する透光性の板状材１４とそれぞれ対面させることにより、板状材１３と板状材１４とを極く簡単に遮蔽することができるので、図１におけると同様にサンルーム１１内に断熱効果の優れた囲繞空間部１６を確保することができる。
【００３１】
また、日射取得量を多くしたい冬場においては、遮蔽材２５は室内５２側に、遮蔽材３１は天井裏５８側にそれぞれ収納させておくことにより、サンルーム１１内に太陽光を十分に採り込むことができる。
【００３２】
しかも、本発明における遮蔽材は、いずれも単に引き出したり、押し込むことにより簡単に出し入れすることができるので、優れた操作性を得ることができるほか、プライバシー保護のための視線遮断効果も付随的に得ることができる。
【００３３】
さらに、本発明における遮蔽材は、その出し入れを手動により行うことができるほか、適宜の電動式駆動装置を付設して行わせるものであってもよい。
【００３４】
なお、本発明における遮蔽材については、図示例以外にも、一方を断熱性壁材により形成されているものを用い、他方を機能性ガラス材を主材にして形成されているものを用いる組み合わせのもとで使用することができるほか、断熱性壁材により形成されているものを２以上に縦割りして折畳み自在に連結した構造のものであってもよい。また、遮蔽材は、図示例以外にも断熱性に富む適宜の構造のものを採用することができる。
【００３５】
【発明の効果】
以上述べたように本発明のうち、請求項１に係る発明によれば、側面に面する遮蔽材と天井面に面する遮蔽材とを極く容易に出し入れして対応する板状材を遮蔽状態としたり、非遮蔽状態とすることができるので、サンルーム内への日射取得量の制御を簡単な操作で行うことができる。
【００３６】
また、請求項２記載のように、側面に位置する透光性の板状材を遮蔽する遮蔽材が各割板状片を折畳み自在に連結して形成されている場合には、室内側によりコンパクトな状態にして収納することができる。
【００３７】
さらに、請求項３記載のように、側面に位置する透光性の板状材を遮蔽する遮蔽材が最後に押し込まれる縦端部の側を軸支する支軸を介して回転自在に開口部近傍に支持されている場合には、内壁面に沿わせて収納しておくことができる。
【００３８】
なお、遮蔽材が断熱性壁材を主材としたり、熱線を吸収もしくは反射する機能性ガラス材を主材として形成されている場合には、より好ましい断熱効果を得ることができる。
【図面の簡単な説明】
【図１】本発明の一例を示す要部斜視図。
【図２】図１に対応させた側面図。
【図３】本発明の他例を示す要部斜視図。
【図４】図３に対応させた側面図。
【図５】図５の変形例を示す要部斜視図。
【符号の説明】
１１  サンルーム
１２，１３，１４，１５  板状材
１６  囲繞空間部
１７  遮蔽材
１７ａ  縦端部
１８  ガイドレール
１９  支軸
２１  遮蔽材
２５  遮蔽材
２５ａ  縦端部
２６  分割板状片
２７  蝶番
２８  支軸
３１  遮蔽材
５１  開講部
５２  室内
５３  収納部
５４  外壁部
５５  天井板
５６  覆い板
５７  収納部
５７ａ  空間部
５８  天井裏
【図１】
0003596575.tif 000002
【図２】
0003596575.tif 000003
【図３】
0003596575.tif 000004
【図４】
0003596575.tif 000005
【図５】
0003596575.tif 000006